(57)【特許請求の範囲】
【請求項１】
ユーザを識別する識別情報であってテレビ受信機に関連付けられているユーザ識別情報と、プロジェクトを識別するプロジェクト識別情報とが関連付けられて記憶された識別情報データベースと、
放送から前記プロジェクト識別情報を受信するプロジェクト識別情報受信手段と、
前記ユーザ識別情報と関連付けられ、前記ユーザ識別情報のユーザのプロジェクト関連情報が記憶されるユーザ記憶領域を備える記憶装置と、
前記ユーザ識別情報と、前記プロジェクト識別情報受信手段が受信したプロジェクト識別情報とを取得する取得手段と、
前記取得手段が取得したプロジェクト識別情報と前記取得手段が取得したユーザ識別情報とが、前記識別情報データベース上で関連付けられているかを照合し、関連付けられている場合、前記取得手段が取得したユーザ識別情報に関連付けられている前記ユーザ記憶領域へのアクセスを、前記ユーザ識別情報と関連付けられたテレビ受信機、携帯端末又はサーバのいずれかに対して許可する許可手段と
を有する視聴サービスシステム。
【請求項２】
前記識別情報データベースは、前記テレビ受信機を識別するデバイス識別情報と、ユーザを識別するユーザ識別情報と、プロジェクトを識別するプロジェクト識別情報と、が関連付けられて記憶されており、
前記取得手段は、前記ユーザ識別情報に代えて前記デバイス識別情報を取得し、
前記許可手段は、前記取得手段が取得したデバイス識別情報に関連付けられているユーザ識別情報を前記識別情報データベースから検索し、検索されたユーザ識別情報と前記取得手段が取得したプロジェクト識別情報とが、前記識別情報データベース上で関連付けられているかを照合し、関連付けられている場合、前記ユーザ識別情報に関連付けられている前記ユーザ記憶領域へのアクセスを、前記ユーザ識別情報と関連付けられたテレビ受信機、携帯端末又はサーバのいずれかに対して許可する
請求項１に記載の視聴サービスシステム。
【請求項３】
前記許可手段は、前記プロジェクト識別情報受信手段が、前記プロジェクト識別情報を受信することができる間、前記ユーザ記憶領域へのアクセスを、前記ユーザ識別情報と関連付けられたテレビ受信機、携帯端末又はサーバのいずれかに対して許可する
請求項１又は請求項２に記載の視聴サービスシステム。
【請求項４】
テレビ受信機が、前記プロジェクト識別情報受信手段を有する
請求項１から請求項３のいずれかに記載の視聴サービスシステム。
【請求項５】
テレビ受信機が、前記許可手段を有する
請求項１から請求項４のいずれかに記載の視聴サービスシステム。
【請求項６】
テレビ受信機と、サーバとを有し、
前記テレビ受信機は、
前記デバイス識別情報が格納されるメモリと、
前記プロジェクト識別情報受信手段と、
受信した前記プロジェクト識別情報と前記デバイス識別情報とを、前記サーバに送信する送信手段と
を有し、
前記サーバは、
前記取得手段と、
前記許可手段と
を有する
請求項２に記載の視聴サービスシステム。
【請求項７】
前記テレビ受信機は、前記ユーザ記憶領域へのアクセスが許可された場合、前記ユーザ記憶領域への前記プロジェクに関するプロジェクト関連情報の読み込み又は書き込みを行うプロジェクト関連情報読み書き手段を有する
請求項６に記載の視聴サービスシステム。
【請求項８】
前記サーバは、前記ユーザ記憶領域へのアクセスが許可された場合、前記プロジェクト関連情報を、前記ユーザ記憶領域への前記プロジェクに関するプロジェクト関連情報の読み込み又は書き込みを行うプロジェクト関連情報読み書き手段を有する
請求項６又は請求項７に記載の視聴サービスシステム。
【請求項９】
前記ユーザ識別情報と前記ユーザ識別情報のユーザ属性情報とが関連付けられて記憶されているユーザ属性情報データベースと、
前記ユーザ属性情報を用いて、所定のサービスを提供するサービス提供手段と
を有する請求項１から請求項８のいずれかに記載の視聴サービスシステム。
【請求項１０】
前記サービス提供手段は、前記ユーザ識別情報に関連付けられているユーザ属性情報を検索し、検索したユーザ属性情報を、前記ユーザ識別情報に関連付けられているテレビ受信機に送信し、
前記テレビ受信機は、前記ユーザ属性情報に基づいて、所定の視聴サービスを実行する視聴サービス実行手段を有する
請求項９に記載の視聴サービスシステム。
【請求項１１】
前記サービス提供手段は、前記ユーザ識別情報に基づいて、前記ユーザ記憶領域に記憶されているプロジェクト関連情報と前記ユーザ属性情報とを関連付けて出力する
請求項９又は請求項１０に記載の視聴サービスシステム。
【請求項１２】
前記識別情報データベースの前記ユーザ識別情報は、ユーザを識別する基本ユーザ識別情報と、前記基本ユーザ識別情報と関連付けられ、プロジェクト識別情報毎に設けられるプロジェクトユーザ識別情報とを含み、
前記記憶装置は、前記プロジェクトユーザ識別情報と関連付けられたユーザ記憶領域を備え、
前記許可手段は、前記取得手段が取得したデバイス識別情報に関連付けられているユーザ識別情報を前記識別情報データベースから検索し、検索されたユーザ識別情報に含まれるプロジェクトユーザ識別情報のプロジェクト識別情報と、前記受信したプロジェクト識別情報とが前記識別情報データベース上で関連付けられているかを照合し、関連付けられている場合、前記プロジェクトユーザ識別情報と関連付けられた前記ユーザ記憶領域へのアクセスを、前記ユーザ識別情報と関連付けられたテレビ受信機、携帯端末又はサーバのいずれかに対して許可する
請求項１から請求項１１に記載の視聴サービスシステム。
【請求項１３】
ユーザを識別する識別情報であってテレビ受信機に関連付けられているユーザ識別情報と、プロジェクトを識別するプロジェクト識別情報とが関連付けられて記憶された識別情報データベースと、
前記ユーザ識別情報と、プロジェクト識別情報受信手段が放送から受信したプロジェクト識別情報とを取得する取得手段と、
前記取得手段が取得したプロジェクト識別情報と前記取得手段が取得したユーザ識別情報とが、前記識別情報データベース上で関連付けられているかを照合し、関連付けられている場合、前記取得手段が取得したユーザ識別情報に関連付けられているユーザ記憶領域へのアクセスを、前記ユーザ識別情報と関連付けられたテレビ受信機、携帯端末又はサーバのいずれかに対して許可する許可手段と
を有する視聴サービスシステム。
【請求項１４】
前記識別情報データベースは、前記テレビ受信機を識別するデバイス識別情報と、ユーザを識別するユーザ識別情報と、プロジェクトを識別するプロジェクト識別情報と、が関連付けられて記憶されており、
前記取得手段は、前記ユーザ識別情報に代えて、前記デバイス識別情報を取得し、
前記許可手段は、前記取得手段が取得したデバイス識別情報と関連付けられているユーザ識別情報を前記識別情報データベースから検索し、検索されたユーザ識別情報と前記取得手段が取得したプロジェクト識別情報とが、前記識別情報データベース上で関連付けられているかを照合し、関連付けられている場合、前記ユーザ識別情報と関連付けられている前記ユーザ記憶領域へのアクセスを、前記ユーザ識別情報と関連付けられたテレビ受信機、携帯端末又はサーバのいずれかに対して許可する
請求項１３に記載の視聴サービスシステム。
【請求項１５】
前記許可手段は、前記取得手段が、前記プロジェクト識別情報を受信することができる間、前記ユーザ記憶領域へのアクセスを、前記ユーザ識別情報と関連付けられたテレビ受信機、携帯端末又はサーバのいずれかに対して許可する
請求項１３又は請求項１４に記載の視聴サービスシステム。
【請求項１６】
前記識別情報データベースの前記ユーザ識別情報は、ユーザを識別する基本ユーザ識別情報と、前記基本ユーザ識別情報と関連付けられ、プロジェクト識別情報毎に設けられるプロジェクトユーザ識別情報とを含み、
前記取得手段は、前記ユーザ識別情報に代えて前記基本ユーザ識別情報を取得し、
前記許可手段は、前記基本ユーザ識別情報に関連付けられているプロジェクトユーザ識別情報を前記識別情報データベースから検索し、検索されたプロジェクトユーザ識別情報と前記受信したプロジェクト識別情報とが、前記識別情報データベース上で関連付けられているかを照合し、関連付けられている場合、前記基本ユーザ識別情報で認証された機器から、前記プロジェクトユーザ識別情報と関連付けられているユーザ記憶領域へのアクセスを許可する
請求項１３から請求項１５に記載の視聴サービスシステム。
【請求項１７】
データベースと、記憶装置と、サーバと、を有し、
前記データベースは、
テレビ受信機を識別するデバイス識別情報と、ユーザを識別する基本ユーザ識別情報と、プロジェクト毎にプロジェクトユーザ識別情報と、プロジェクトを識別するプロジェクト識別情報と、が関連付けられて記憶されており、
前記記憶装置は、前記プロジェクトユーザ識別情報と関連付けられ、前記プロジェクトユーザ識別情報のユーザのプロジェクト関連情報が記憶されるユーザ記憶領域を有し、
前記サーバは、
前記テレビ受信機から送信される前記プロジェクト識別情報及び前記デバイス識別情報を受信する手段と、
受信した前記デバイス識別情報と関連付けられているプロジェクトユーザ識別情報を前記データベースから検索し、検索されたプロジェクトユーザ識別情報と受信したプロジェクト識別情報とが、前記データベース上で関連付けられているかを照合し、関連付けられている場合、前記基本ユーザ識別情報で認証された機器から、前記プロジェクトユーザ識別情報と関連付けられた前記ユーザ記憶領域へのアクセスを許可手段と
を有する
視聴サービスシステム。
【請求項１８】
所定のプロジェクトに関する視聴サービス方法であって、
テレビ受信機は、プロジェクトを識別するプロジェクト識別情報を放送から受信し、
前記テレビ受信機は、受信したプロジェクト識別情報とユーザを識別する識別情報であってテレビ受信機に関連付けられているユーザ識別情報とを送信し、
サーバは、前記テレビ受信機から、前記プロジェクト識別情報と前記ユーザ識別情報とを受信し、
前記サーバは、前記ユーザ識別情報と前記プロジェクト識別情報とが予め関連付けられて記憶された識別情報データベース上において、受信したプロジェクト識別情報と受信したユーザ識別情報とが関連付けされているかを照合し、
前記照合の結果、関連付けられている場合、前記受信したユーザ識別情報に関連付けられているユーザ記憶領域へのアクセスを、前記ユーザ識別情報と関連付けられたテレビ受信機、携帯端末又はサーバのいずれかに対して許可する
視聴サービス方法。
【請求項１９】
前記識別情報データベースは、前記テレビ受信機を識別するデバイス識別情報と、ユーザを識別するユーザ識別情報と、プロジェクトを識別するプロジェクト識別情報と、が関連付けられて記憶されており、
前記テレビ受信機は、受信したプロジェクト識別情報と、前記ユーザ識別情報に代えてデバイス識別情報とを、送信し、
前記サーバは、前記テレビ受信機から、前記プロジェクト識別情報と前記デバイス識別情報とを受信し、
前記サーバは、受信したデバイス識別情報に関連付けられているユーザ識別情報を前記識別情報データベースから検索し、検索されたユーザ識別情報と受信したプロジェクト識別情報とが、前記識別情報データベース上で関連付けられているかを照合し、
前記サーバは、関連付けられている場合、前記ユーザ識別情報に関連付けられているユーザ記憶領域へのアクセスを、前記ユーザ識別情報と関連付けられたテレビ受信機、携帯端末又はサーバのいずれかに対して許可する
請求項１８に記載の視聴サービス方法。
【請求項２０】
前記テレビ受信機が前記プロジェクト識別情報を受信することができる間、前記ユーザ記憶領域へのアクセスを、前記ユーザ識別情報と関連付けられたテレビ受信機、携帯端末又はサーバのいずれかに対して許可する
請求項１８又は請求項１９に記載の視聴サービス方法。
【請求項２１】
前記ユーザ識別情報と前記ユーザ識別情報のユーザ属性情報とが関連付けられて記憶されているユーザ属性情報データベースを有し、
前記サーバは、前記ユーザ属性情報を用いて、所定のサービスを提供する
を有する請求項１８から請求項２０のいずれかに記載の視聴サービス方法。
【請求項２２】
前記テレビ受信機は、提供されたユーザ属性情報に基づいて、所定の視聴サービスを実行する
請求項２１に記載の視聴サービス方法。
【請求項２３】
前記サーバは、前記ユーザ識別情報に基づいて、前記ユーザ記憶領域に記憶されているプロジェクト関連情報と前記ユーザ属性情報とを関連付けて出力する
請求項２１又は請求項２２に記載の視聴サービス方法。
【請求項２４】
前記識別情報データベースの前記ユーザ識別情報は、ユーザを識別する基本ユーザ識別情報と、前記基本ユーザ識別情報と関連付けられ、プロジェクト識別情報毎に設けられるプロジェクトユーザ識別情報とを含み、
前記ユーザ記憶領域は、前記プロジェクトユーザ識別情報と関連付けられ、
前記サーバは、取得したデバイス識別情報と関連付けられているユーザ識別情報を前記識別情報データベースから検索し、検索されたユーザ識別情報に含まれるプロジェクトユーザ識別情報のプロジェクト識別情報と前記受信したプロジェクト識別情報とが、前記識別情報データベース上で関連付けられているかを照合し、関連付けられている場合、前記基本ユーザ識別情報で認証された機器から、前記プロジェクトユーザ識別情報と関連付けられている前記ユーザ記憶領域へのアクセスを許可する
請求項１８から請求項２３のいずれかに記載の視聴サービス方法。
【請求項２５】
ユーザを識別するユーザ識別情報と、プロジェクトを識別するプロジェクト識別情報とが、関連付けられて記憶されている識別情報データベースと、
前記ユーザ識別情報と関連付けられたユーザ記憶領域を備える記憶装置と、
端末が放送又は通信を介して受信したプロジェクト識別情報と、前記ユーザ識別情報とを、前記端末から取得する取得手段と、
前記取得手段が取得したプロジェクト識別情報と前記取得手段が取得したユーザ識別情報とが、前記識別情報データベース上で関連付けられているかを照合し、関連付けられている場合、前記取得手段が取得したユーザ識別情報に関連付けられているユーザ記憶領域へのアクセスを、前記ユーザ識別情報と関連付けられた機器に対して許可する許可手段と
を有する視聴サービスシステム。
【請求項２６】
端末を識別するデバイス識別情報と、少なくとも一以上のユーザを識別するユーザ識別情報と、少なくとも一以上のプロジェクトを識別するプロジェクト識別情報とが、関連付けられて記憶されている識別情報データベースと、
前記ユーザ識別情報と関連付けられたユーザ記憶領域を備える記憶装置と、
端末が放送又は通信を介して受信したプロジェクト識別情報と、前記端末のデバイス識別情報とを、前記端末から取得する取得手段と、
前記取得手段が取得したデバイス識別情報に関連付けられているユーザ識別情報を、前記識別情報データベースから検索し、検索されたユーザ識別情報と前記取得手段が取得したプロジェクト識別情報とが、前記識別情報データベース上で関連付けられているかを照合し、関連付けられている場合、前記検索されたユーザ識別情報に関連付けられているユーザ記憶領域へのアクセスを、前記検索されたユーザ識別情報と関連付けられた機器に対して許可する許可手段と
を有する視聴サービスシステム。
【請求項２７】
端末を識別するデバイス識別情報と、ユーザを識別する基本ユーザ識別情報と、少なくとも一以上のプロジェクト毎にプロジェクトユーザ識別情報と、少なくとも一以上のプロジェクトを識別するプロジェクト識別情報と、が関連付けられて記憶されている識別情報データベースと、
前記プロジェクトユーザ識別情報と関連付けられたユーザ記憶領域を備える記憶装置と、
端末が放送又は通信を介して受信したプロジェクト識別情報と、前記端末のデバイス識別情報とを、前記端末から取得する取得手段と、
前記取得手段が取得したデバイス識別情報と関連付けられているプロジェクトユーザ識別情報を前記データベースから検索し、検索されたプロジェクトユーザ識別情報と前記取得手段が取得したプロジェクト識別情報とが、前記データベース上で関連付けられているかを照合し、関連付けられている場合、前記プロジェクトユーザ識別情報と関連付けられたユーザ記憶領域へのアクセスを、前記基本ユーザ識別情報で認証された機器に対して許可する許可手段と
を有する視聴サービスシステム。
【発明の詳細な説明】
【技術分野】
【０００１】
本発明は、視聴サービスシステム及び視聴サービス方法に関する。
【背景技術】
【０００２】
近年、地上デジタル放送が始まり、コンテンツの拡充と共に、番組に連動したデータ放送を用いた番組が多くなってきている。このデータ放送を含むデジタル放送は、視聴者が一方的に番組を視聴するだけでなく、視聴者が放送局側にデータを送信して番組に参加できるようになっており、インタラクティブ性が高められている。
【０００３】
データ放送のコンテンツでは、視聴者のリモコン操作等に対する反応を決めたり、視聴者の個人情報の登録、番組独自で設定するポイントの計算等を行うことができ、テレビ受信機に設けられた不揮発性メモリ（ＮＶＲＡＭ）等の記憶領域を、データコンテンツの記憶領域として利用することができる。そして、視聴者データを、その記憶領域に記憶することで、個人情報の継続活用や番組独自ポイント加算システム等の機能を実現することができる。
【０００４】
しかし、現在のテレビ受信機に内蔵されている不揮発性メモリ（ＮＶＲＡＭ）は、視聴したテレビ受信機に記憶される。このため、例えば、あるドラマを録画装置で録画して得たポイントに、別の回の同じドラマをテレビジョン装置で視聴して得たポイントを、マージ（統合）できないという不便さがあった。
【０００５】
そこで、特許文献１の発明は、ＢＭＬコンテンツを含む番組コンテンツを放送局より受信するチューナ・復調部を備えた録画装置から、この受信された番組コンテンツを取得し、取得された番組コンテンツ中に番組視聴者に与えられる番組独自の視聴記録情報が含まれている場合に、この視聴記録情報を番組コンテンツ（ＢＭＬコンテンツ）から抽出する手段を備え、その抽出された視聴記録情報を、外部の記憶装置に記憶するように構成されている。
【０００６】
これにより、同一の番組を異なる視聴機器で視聴しても、番組視聴者に与えられる番組独自の視聴記録情報を統合することが可能となる。
【先行技術文献】
【特許文献】
【０００７】
【特許文献１】特開２０１０−１０９９０１号公報
【発明の概要】
【発明が解決しようとする課題】
【０００８】
しかし、特許文献１の発明は、同一放送局から放送されるコンテンツに限られており、複数の放送局を跨いで、それらの情報を統合することはできない。これは、現在のテレビ受信機に内蔵されている不揮発性メモリ（ＮＶＲＡＭ）は、局固有の狭い使用領域、機能に限られているからである。
【０００９】
一方、近年では、単独の放送局で実施するプロジェクトだけでなく、複数の放送局が共同で行うプロジェクトも提案されており、現在の不揮発性メモリ（ＮＶＲＡＭ）の形態では、複数の放送局が共同で行うプロジェクトに関する情報は記憶することはできなかった。
【００１０】
更に、視聴形態の多様性に鑑み、テレビ受信機だけでなく、他のデバイス、例えば、スマートフォン等からの情報も、統合して扱う必要があった。
【００１１】
そこで、本発明は、テレビ受信機の不揮発性メモリ（ＮＶＲＡＭ）の使用制限に囚われない視聴サービスシステム及び視聴サービス方法を提供することにある。
【課題を解決するための手段】
【００１２】
本発明の視聴サービスシステムは、テレビ受信機に関連付けられ、ユーザを識別するユーザ識別情報と、プロジェクトを識別するプロジェクト識別情報とが関連付けられて記憶された識別情報データベースと、放送から前記プロジェクト識別情報を受信するプロジェクト識別情報受信手段と、前記ユーザ識別情報と関連付けられ、前記ユーザ識別情報のユーザのプロジェクト関連情報が記憶されるユーザ記憶領域を備える記憶装置と、前記識別情報データベースを用いて、前記受信したプロジェクト識別情報と前記ユーザ識別情報とが関連付けられているかを照合し、関連付けられている場合、前記ユーザ識別情報と関連付けられた前記ユーザ記憶領域へのアクセスを許可する許可手段とを有する。
【００１３】
本発明の視聴サービスシステムは、テレビ受信機に関連付けられ、ユーザを識別するユーザ識別情報と、プロジェクトを識別するプロジェクト識別情報とが関連付けられて記憶された識別情報データベースと、前記識別情報データベースを用いて、放送から受信したプロジェクト識別情報と前記ユーザ識別情報とが関連付けられているかを照合し、関連付けられている場合、前記ユーザ識別情報と関連付けられたユーザ記憶領域へのアクセスを許可する許可手段とを有する。
【００１４】
本発明の視聴サービスシステムは、データベースと、記憶装置と、サーバと、を有し、前記データベースは、テレビ受信機を識別するデバイス識別情報と、ユーザを識別する基本ユーザ識別情報と、プロジェクト毎にプロジェクトユーザ識別情報と、プロジェクトを識別するプロジェクト識別情報と、が関連付けられて記憶されており、前記記憶装置は、前記プロジェクトユーザ識別情報と関連付けられ、前記プロジェクトユーザ識別情報のユーザのプロジェクト関連情報が記憶されるユーザ記憶領域を有し、前記サーバは、前記テレビ受信機から送信される前記プロジェクト識別情報及び前記デバイス識別情報を受信する手段と、受信した前記デバイス識別情報と関連付けられているプロジェクトユーザ識別情報を、前記データベースから検索し、検索されたプロジェクトユーザ識別情報と前記プロジェクト識別情報とが関連付けられているかを照合し、関連付けられている場合、前記基本ユーザ識別情報で認証された機器から、前記プロジェクトユーザ識別情報と関連付けられた前記ユーザ記憶領域へのアクセスを許可手段とを有する。
【００１５】
本発明の視聴サービス方法は、所定のプロジェクトに関する視聴サービス方法であって、プロジェクトを識別するプロジェクト識別情報を放送から受信し、受信したプロジェクト識別情報と、テレビ受信機に関連付けられ、ユーザを識別するユーザ識別情報とを、前記ユーザ識別情報と前記プロジェクト識別情報とが関連付けられて記憶された識別情報データベースを用いて照合し、前記照合の結果、関連付けられている場合、前記ユーザ識別情報と関連付けられた前記ユーザ記憶領域へのアクセスを許可する。
【発明の効果】
【００１６】
本発明によれば、テレビ受信機の不揮発性メモリ（ＮＶＲＡＭ）の使用制限に囚われない視聴サービスシステム及び視聴サービス方法を提供することができる。
【図面の簡単な説明】
【００１７】
【図１】図１は、本発明の視聴サービスシステムに係る第１の実施の形態の概略ブロック図である。
【図２】図２は、本発明の視聴サービスシステムに係る第２の実施の形態の概略ブロック図である。
【図３】図３は、本発明の視聴サービスシステムに係る第３の実施の形態の概略ブロック図である。
【図４】図４は、本発明の視聴サービスシステムに係る第４の実施の形態の概略ブロック図である。
【図５】図５は、本発明の視聴サービスシステムに係る具体的な第１の実施の形態のブロック図である。
【図６】図６は、本具体的な実施の形態におけるテレビ受信機の機能を実現するデータ放送によるＢＭＬの一例を示した図である。
【図７】図７は、識別情報データベース４００の内容の一例を示した図である。
【図８】図８は、ユーザ情報データベース６００の内容の一例を示した図である。
【図９】図９は、放送局Ａから放送されるコンテンツの一例を示す図である。
【図１０】図１０は、放送局Ｂから放送されるコンテンツの一例を示す図である。
【図１１】図１１は、本発明の視聴サービスシステムに係る具体的な第２の実施の形態のブロック図である。
【図１２】図１２は、識別情報データベース４００の内容の一例を示した図である。
【図１３】図１３は、ユーザ情報データベース６００の内容の一例を示した図である。
【図１４】図１４は、本発明の視聴サービスシステムに係る具体的な第３の実施の形態のブロック図である。
【図１５】図１５は、識別情報データベース４００の内容の一例を示した図である。
【発明を実施するための形態】
【００１８】
＜本発明の第１の実施の形態＞
本発明の視聴サービスシステムに係る第１の実施の形態を説明する。図１は、本発明の視聴サービスシステムに係る第１の実施の形態の概略ブロック図である。
【００１９】
本発明の視聴サービスシステムは、識別情報データベース１と、プロジェクト識別情報受信部２と、記憶装置３と、許可部４とを有する。
【００２０】
識別情報データベース１は、テレビ受信機に関連付けられ、ユーザを識別するユーザ識別情報と、プロジェクトを識別するプロジェクト識別情報とが関連付けられて記憶されている。
【００２１】
ユーザ識別情報とは、ユーザ（例えば、視聴者）を識別する情報であり、少なくともテレビ受信機に関連付けられているが、テレビ受信機に加え、他の機器、例えば、携帯端末（スマートフォン等）やサーバにも関連付けられていても良い。プロジェクト識別情報とは、プロジェクトを識別できるユニークな識別情報である。このプロジェクト識別情報は、当該放送中のコンテンツ（例えば、番組や、コマーシャル）がどのプロジェクトに属するものかを判別するための識別情報である。これらのユーザ識別情報及びプロジェクト識別情報は、ユーザがあるプロジェクトに参加する意思表明を行い、または、自動的に行われる認証方法等により、データベース１に記憶される。
【００２２】
プロジェクト識別情報受信部２は、通常、テレビ受信機に設けられ、テレビチューナや、データ放送のブラウザ、イーサネット等の機能を有し、テレビ放送からプロジェクト識別情報を受信する。プロジェクト識別情報は、通常は放送、例えば、データ放送のイベントメッセージ、モジュール内のデータとして、テレビ受信機に送信され、テレビ受信機に与えられる。また、放送からプロジェクト識別情報を受信する回数であるが、１回でも複数回でも良く、放送により１回受信した後は、通信からプロジェクト識別情報を受信するようにしても良い。また、プロジェクト識別情報は、１種類に限らず、複数種類のプロジェクト識別情報を受信しても良い。
【００２３】
尚、プロジェクト識別情報の受信は、放送に限られず、例えば、番組で使用するプロジェクト識別情報の取得のトリガを、データ放送のイベントメッセージ、モジュール内のデータとして送信し、それを受信したテレビ受信機が所定のサーバにアクセスし、プロジェクト識別情報自体を取得するようにしても良い。また、プロジェクト識別情報は、放送される番組に合わせて、送られるケースもあれば、事前に送信する場合であっても良い。更に、プロジェクト識別情報受信部２を有するのは、テレビ受信機に限らず、スマートフォンのような通信機能を有したデバイスでも良い。
【００２４】
記憶装置３は、テレビ受信機とネットワーク等に接続された外部のハードディスク等の記憶手段であり、ユーザ識別情報のユーザのプロジェクト関連情報が記憶される記憶領域を備えている。この記憶領域は、各ユーザ識別情報に関連付けられている。プロジェクト関連情報とは、例えば、ユーザがあるプロジェクトに参加した場合のプロジェクトの情報や、そのプロジェクトに参加することで得られる特典（例えば、ポイント）、ユーザの視聴履歴等である。
【００２５】
許可部４は、識別情報データベース１を用いて、受信したプロジェクト識別情報とユーザ識別情報とが関連付けられているかを照合し、関連付けられている場合、ユーザ識別情報と関連付けられた記憶装置３のユーザ記憶領域へのアクセスを許可する。許可部４は、テレビ受信機内部、又は、外部のサーバに設けられる。テレビ受信機内部に設けられる場合は、データ放送のＢＭＬ等の機能により、実現することができる。
【００２６】
尚、ユーザ記憶領域へのアクセスを許可するとは、ユーザ記憶領域へのプロジェクト関連情報の書き込み、ユーザ記憶領域のプロジェクト関連情報の読み込みを許可することである。また、ユーザ記憶領域へのアクセスを許可する対象であるが、ユーザ識別情報が関連付けられているテレビ受信機や他の機器、例えば、携帯端末（スマートフォン等）やサーバ等である。そして、ユーザ記憶領域へのプロジェクト関連情報の書き込みは、ユーザ識別情報が関連付けられているテレビ受信機からユーザ記憶領域へのプロジェクト関連情報の書き込み、ユーザ識別情報が関連付けられている携帯端末（スマートフォン等）からユーザ記憶領域へのプロジェクト関連情報の書き込み、所定のプロジェクトのために設けられたサーバからユーザ記憶領域へのプロジェクト関連情報の書き込みである。また、ユーザ記憶領域に記憶されているプロジェクト関連情報の読み込みは、ユーザ識別情報が関連付けられているテレビ受信機からユーザ記憶領域に記憶されているプロジェクト関連情報の読み込み、ユーザ識別情報が関連付けられている携帯端末（スマートフォン等）からユーザ記憶領域に記憶されているプロジェクト関連情報の読み込み、ユーザ識別情報が関連付けられている所定のプロジェクトのために設けられたサーバからユーザ記憶領域に記憶されているプロジェクト関連情報の読み込みである。
【００２７】
また、許可部４がアクセスを許可する時間であるが、プロジェクト識別情報受信部２がプロジェクト識別情報を受信できる状態にある間である。この状態は、例えば、プロジェクト識別情報受信部２が、プロジェクト識別情報を放送しているプロジェクトの番組を受信している状態である。そして、番組の変更、チャンネルの変更やテレビ受信機の電源のＯＦＦ等により、プロジェクト識別情報を放送しているプロジェクトの番組を受信できない状態、他のプロジェクト識別情報に変更された場合、ユーザ記憶領域へのアクセスの許可は解除される。尚、プロジェクト識別情報受信部２がプロジェクト識別情報を受信できる状態を確認する方法としては、プロジェクト識別情報を受信できる状態にあるとき、プロジェクト識別情報受信部２から定期的に許可部４に確認信号を送信する方法等がある。
【００２８】
次に、上述ように構成された視聴サービスシステムの動作を説明する。
【００２９】
尚、以下の説明では、複数の放送局があるひとつのプロジェクトを共同で実施し、各放送局はそのプロジェクトに関連する番組を放送（番組内ではプロジェクト関連情報を放送）する場合を想定する。そして、ユーザは、そのプロジェクトに参加する意思表明を行い、又は、特別な意思表明を行わずに番組を視聴する等により自動的にプロジェクトに参加する等し、識別情報データベース１には、ユーザ識別情報と、プロジェクト識別情報とが、予め関連付けられて記憶されているものとする。
【００３０】
まず、プロジェクト識別情報受信部２は、ユーザがプロジェクトに関連する番組を視聴することにより、その番組内で放送されているプロジェクト識別情報を受信する（Ｓｔｅｐ１００）。そして、プロジェクト識別情報受信部２は、受信したプロジェクト識別情報と共に、ユーザ識別情報を許可部４に送信する（Ｓｔｅｐ１０１）。尚、ユーザ識別情報は、ユーザ自身が入力しても、プロジェクト識別情報受信部２が予め記憶しておいても良い。
【００３１】
許可部４では、通信網を介して、プロジェクト識別情報受信部２からのプロジェクト識別情報及びユーザ識別情報を受信し、受信したユーザ識別情報とプロジェクト識別情報とが関連付けられているかを、識別情報データベース１を用いて照合する（Ｓｔｅｐ１０２）。そして、関連付けられている場合（認証可）、ユーザ識別情報と関連付けられた記憶装置３のユーザ記憶領域へのアクセスを許可する（Ｓｔｅｐ１０３）。このユーザ記憶領域へのアクセス許可により、プロジェクト識別情報受信部２がプロジェクト識別情報を受信できる状態にある間、テレビ受信機、又は、携帯端末（スマートフォン等）、他のサーバ等からのプロジェクト関連情報のユーザ記憶領域への書き込み、又は、プロジェクト関連情報の読み込みが可能となる。例えば、テレビ受信機又は他のサーバ等からの視聴履歴や、プロジェクト参加によるポイント情報等のユーザ記憶領域への書き込み、また、既に記憶されているプロジェクト関連情報を読み込み、そのプロジェクトの視聴サービスの提供が出来る。
【００３２】
このように構成された第１の実施の形態によれば、各局で管理していたテレビ受信機のNVRAMに書き込まれる情報を、複数のテレビ局に跨って利用することができ、複数のテレビ局が共同で実施する大型番組等の利便性を高めることができる。更に、ひとつのデバイス識別情報に対して複数のユーザ識別情報を関連付けることができるので、テレビ受信機毎の管理ではなく、ユーザ毎の管理も行うことができる。また、テレビ受信機のNVRAMの記憶容量の制限も受ける必要がない。
【００３３】
＜第２の実施の形態＞
本発明の視聴サービスシステムに係る第２の実施の形態を説明する。図２は、本発明の視聴サービスシステムに係る第２の実施の形態の概略ブロック図である。
【００３４】
第２の実施の形態では、プロジェクト識別情報受信部２をテレビ受信機に持たせ、許可部４の機能をサーバが持つ構成の具体的な実施の形態である。また、ひとつのテレビ受信機を複数の視聴者が利用する場合、例えば、家庭に設置されたテレビ受信機を家族全員で利用する場合を想定し、デバイス識別情報という概念を導入し、ひとつのデバイス識別情報に対して複数のユーザ識別情報が関連付けられる場合を説明する。
【００３５】
本発明の視聴サービスシステムは、識別情報データベース１０と、テレビ受信機２０と、記憶装置３０と、サーバ４０とを備える。
【００３６】
識別情報データベース１０は、テレビ受信機２０を識別するデバイス識別情報と、ユーザを識別するユーザ識別情報と、プロジェクトを識別するプロジェクト識別情報とが関連付けられて記憶されている。
【００３７】
ここで、デバイス識別情報とは、デバイス毎に振られるユニークな識別情報であり、例えば、テレビ受信機のデータ放送ブラウザ毎に振られ、テレビ受信機毎に固有に振られている識別情報（例えば、Ｂ−ＣＡＳの識別番号）に基づいて生成されるものであるが、これに限られず、サーバ等から与えられたものでも良い。デバイス識別情報は、初めてあるプロジェクト（コンテンツ）を視聴（表示）したタイミングで自動的に生成するように、サーバへ問い合わせをしても良い。
【００３８】
ユーザ識別情報とは、ユーザ（例えば、視聴者）を識別する情報である。尚、ひとつのテレビ受信機を複数の視聴者が利用する場合、例えば、家庭に設置されたテレビ受信機を家族全員で利用する場合等は、ひとつのデバイス識別情報に対して複数のユーザ識別情報が関連付けられる場合がある。
【００３９】
プロジェクト識別情報とは、プロジェクトを識別できるユニークな識別情報である。このプロジェクト識別情報は、当該放送中のコンテンツ（例えば、番組や、コマーシャル）がどのプロジェクトに属するものかを判別するための識別情報である。
【００４０】
これらのデバイス識別情報、ユーザ識別情報及びプロジェクト識別情報は、ユーザがあるプロジェクトに参加する意思表明を行い、通常行われる認証方法等により、識別情報データベース１０に記憶される。
【００４１】
尚、本実施の形態では、識別情報データベース１０は、デバイス識別情報と、ユーザ識別情報と、プロジェクト識別情報とが関連付けられて記憶されている構成にしたが、これに限られない。例えば、デバイス識別情報と、ユーザ識別情報と、プロジェクト識別情報とが関連付けられていれば、物理的にひとつのデータベースにする必要はなく、デバイス識別情報とユーザ識別情報とが関連付けられて記憶されているデータベースと、ユーザ識別情報とプロジェクト識別情報とが関連付けられて記憶されているデータベースとの二つに分けても良い。更に、サーバ４０と、識別情報データベース１０、記憶装置３０がそれぞれ別の装置となっているが、同一のサーバ上、同一のデータベース上に存在しても良い。
【００４２】
テレビ受信機２０は、メモリ２１と、受信部２２と、送信部２３とを有する。
【００４３】
メモリ２１は、例えば、テレビ受信機のＮＶＲＡＭであり、上述したデバイス識別情報が記憶される。
【００４４】
受信部２２は、テレビチューナや、データ放送のブラウザ、イーサネット等の機能を有し、テレビ放送からプロジェクト識別情報を受信する。プロジェクト識別情報は、通常は放送、例えば、データ放送のイベントメッセージ、モジュール内のデータとして、テレビ受信機に送信され、テレビ受信機に与えられる。尚、プロジェクト識別情報の取得は、放送に限られず、例えば、番組で使用するプロジェクト識別情報の取得のトリガを、データ放送のイベントメッセージ、モジュール内のデータとして送信し、それを受信したテレビ受信機が所定のサーバにアクセスし、プロジェクト識別情報自体を取得するようにしても良い。また、プロジェクト識別情報は、放送される番組に合わせて、送られるケースもあれば、事前に送信する場合であっても良い。
【００４５】
送信部２３は、受信したプロジェクト識別情報とデバイス識別情報とを、サーバ４０に送信する。
【００４６】
記憶装置３０は、ハードディスク等の記憶手段であり、ユーザ識別情報のユーザのプロジェクト関連情報が記憶される記憶領域を備えている。この記憶領域は、各ユーザ識別情報に関連付けられている。プロジェクト関連情報とは、例えば、ユーザがあるプロジェクトに参加した場合のプロジェクトの情報や、そのプロジェクトに参加することで得られる特典（例えば、ポイント）、ユーザの視聴履歴等である。
【００４７】
サーバ４０は、受信部４１と、許可部４２とを有する。
【００４８】
受信部４１は、通信網を介して、テレビ受信機２０からのプロジェクト識別情報及びデバイス識別情報を受信する。
【００４９】
許可部４２は、デバイス識別情報、ユーザ識別情報、プロジェクト識別情報等を識別情報データベース１０から検索する検索機能と、記憶装置３０のユーザ記憶領域へのアクセスを許可する許可機能とを備える。検索機能は、テレビ受信機２０から受信したデバイス識別情報と関連付けられているユーザ識別情報を、識別情報データベース１０から検索する機能である。許可機能は、検索されたユーザ識別情報と、テレビ受信機２０から受信したプロジェクト識別情報とが関連付けられているかを照合し、関連付けられている場合（認証可）、ユーザ識別情報と関連付けられた記憶装置３０のユーザ記憶領域へのアクセスを許可する機能である。
【００５０】
ここで、ユーザ記憶領域へのアクセスを許可するとは、ユーザ記憶領域へのプロジェクト関連情報の書き込み、ユーザ記憶領域のプロジェクト関連情報の読み込みを許可することである。ユーザ記憶領域へのプロジェクト関連情報の書き込みは、テレビ受信機２０からユーザ記憶領域へのプロジェクト関連情報の書き込み、所定のプロジェクトのために設けられたサーバからユーザ記憶領域へのプロジェクト関連情報の書き込みとの双方を含む。また、ユーザ記憶領域に記憶されているプロジェクト関連情報の読み込みは、テレビ受信機２０からユーザ記憶領域に記憶されているプロジェクト関連情報の読み込み、所定のプロジェクトのために設けられたサーバからユーザ記憶領域に記憶されているプロジェクト関連情報の読み込みの双方を含む。また、テレビ受信機、サーバに限らず、他のネットワーク（インターネット等）に接続された機器からの読み書きできるようにしても良い。
【００５１】
また、許可部４２がアクセスを許可する時間であるが、テレビ受信機２０の受信部２２がプロジェクト識別情報を受信できる状態にある間である。この状態は、例えば、受信部２２が、プロジェクト識別情報を放送しているプロジェクトの番組を受信している状態である。そして、チャンネルの変更やテレビ受信機の電源のＯＦＦ等により、プロジェクト識別情報を放送しているプロジェクトの番組を受信できない状態になった場合、ユーザ記憶領域へのアクセスの許可は解除される。
【００５２】
尚、第２の実施の形態では、サーバをひとつの構成としたが、これに限られない。例えば、サーバ４０の検索機能と許可機能とを別々のサーバにすることも可能である。また、識別情報データベース１０、記憶装置３０等をサーバ４０に含めても良い。
【００５３】
次に、上述ように構成された視聴サービスシステムの動作を説明する。
【００５４】
尚、以下の説明では、複数の放送局があるひとつのプロジェクトを共同で実施し、各放送局はそのプロジェクトに関連する番組を放送（番組内ではプロジェクト関連情報を放送）する場合を想定する。そして、ユーザは、そのプロジェクトに参加する意思表明を行い、又は、特別な意思表明を行わずに番組を視聴する等により自動的にプロジェクトに参加する等し、識別情報データベース１０には、デバイス識別情報と、ユーザ識別情報と、プロジェクト識別情報とが、予め関連付けられて記憶されているものとする。また、テレビ受信機２０のメモリ２１には、デバイス識別情報が記憶されているものとする。
【００５５】
まず、テレビ受信機２０は、ユーザがプロジェクトに関連する番組を視聴することにより、その番組内で放送されているプロジェクト識別情報を受信する（Ｓｔｅｐ２００）。そして、テレビ受信機２０は、メモリ２１に記憶されているデバイス識別情報と共に、受信したプロジェクト識別情報をサーバ４０に送信する（Ｓｔｅｐ２０１）。
【００５６】
サーバ４０では、受信部４１により、通信網を介して、テレビ受信機２０からのプロジェクト識別情報及びデバイス識別情報を受信し、許可部４２は、テレビ受信機２０から受信したデバイス識別情報と関連付けられているユーザ識別情報を、識別情報データベース１０から検索する（Ｓｔｅｐ２０２）。そして、検索されたユーザ識別情報と、テレビ受信機２０から受信したプロジェクト識別情報とが関連付けられているかを、識別情報データベース１０を用いて照合する（Ｓｔｅｐ２０３）。関連付けられている場合（認証可）、ユーザ識別情報と関連付けられた記憶装置３０のユーザ記憶領域へのアクセスを許可する（Ｓｔｅｐ２０４）。このユーザ記憶領域へのアクセス許可により、テレビ受信機２０の受信部２２がプロジェクト識別情報を受信できる状態にある間、テレビ受信機２０、又は、他のサーバ等からのプロジェクト関連情報のユーザ記憶領域への書き込み、又は、プロジェクト関連情報の読み込みが可能となる。例えば、テレビ受信機２０又は他のサーバ等からの、プロジェクト参加によるポイント情報等のユーザ記憶領域への書き込み、また、既に記憶されているプロジェクト関連情報を読み込み、そのプロジェクトの視聴サービスの提供が出来る。
【００５７】
このように構成された第２の実施の形態によれば、各局で管理していたテレビ受信機のNVRAMに書き込まれる情報を、複数のテレビ局に跨って利用することができ、複数のテレビ局が共同で実施するプロジェクト等の利便性を高めることができる。更に、ひとつのデバイス識別情報に対して複数のユーザ識別情報が関連付けることができるので、テレビ受信機毎の管理ではなく、ユーザ毎の管理も行うことができる。
【００５８】
尚、上述した実施の形態では、デバイス識別情報とプロジェクト識別情報とを送信し、ユーザ識別情報を検索する例を説明したが、デバイス識別情報と、ユーザ識別情報と、プロジェクト識別情報とを全てを送り、許可部４２ではユーザ識別情報を検索することなく、照合のみを行っても良い。
【００５９】
また、許可部４２の検索の結果、該当するユーザ識別情報がない場合には、新たな申込みとして、新たなユーザ識別情報及びユーザ記憶領域を作成し、そのユーザ記憶領域のアクセスを許可するようにしても良い。
【００６０】
また、例えば、家族で同時に同一のプロジェクトに関する番組を視聴する場合、一つのデバイス識別情報に複数のユーザ識別情報が関連付けられていることが想定されるが、この場合、それらのユーザ識別情報に関連付けられるユーザ記憶領域を全てアクセス可能にしてもかまわない。
【００６１】
＜第３の実施の形態＞
本発明の視聴サービスシステムに係る第３の実施の形態を説明する。図３は、本発明の視聴サービスシステムに係る第３の実施の形態の概略ブロック図である。
【００６２】
本発明の視聴サービスシステムに係る第３の実施の形態は、第２の実施の形態に加えて、属性情報データベース５０を備える。属性情報データベース５０は、ユーザ識別情報と、このユーザ識別情報で識別されるユーザのユーザ属性情報とが関連付けられて記憶されたデータベースである。ユーザ属性情報は、ユーザに関する情報であれば、特に、その種類は問わないが、例えば、氏名、性別、年齢、生年月日、住所、趣味等の基本嗜好情報等がある。
【００６３】
更に、サーバ４０は、サービス提供部４４を備える。サービス提供部４４は、許可部４２により検索されたユーザ識別情報に関連付けられたユーザ属性情報を、属性情報データベース５０から取得する。そして、取得したユーザ属性情報を、テレビ受信機２０に送信する。
【００６４】
また、テレビ受信機２０は、サービス実行部２４を備える。サービス実行部２４は、サーバ４０から提供されたユーザ属性情報に基づいて、視聴サービスを実行する。視聴サービスの例としては、年齢に対応した広告の表示などがある。
【００６５】
次に、上述ように構成された視聴サービスシステムの動作を説明する。
【００６６】
尚、以下の説明では、特に説明しない限り、第１の実施の形態におけるアクセス許可の認証が得られたものとして説明する。
【００６７】
まず、認証後、サービス提供部４４は、ユーザ識別情報に関連付けられているユーザ属性情報を取得する（Ｓｔｅｐ３００）。そして、取得したユーザ属性情報をテレビ受信機２０に送信する（Ｓｔｅｐ３０１）。
【００６８】
テレビ受信機２０のサービス実行部２４は、受信したサーバ４０から提供されたユーザ属性情報に基づいて、視聴サービスを実行する（Ｓｔｅｐ３０２）。
【００６９】
第３の実施の形態によれば、第２の実施の形態の効果に加えて、ユーザ属性情報に基づいた視聴サービスを提供することができる。
【００７０】
＜第４の実施の形態＞
本発明の視聴サービスシステムに係る第４の実施の形態を説明する。図４は、本発明の視聴サービスシステムに係る第４の実施の形態の概略ブロック図である。
【００７１】
本発明の視聴サービスシステムに係る第４の実施の形態は、第２、３の実施の形態に加え、サーバ４０のサービス提供部４４が、記憶装置３０のユーザ記憶領域に記憶されたプロジェクト関連情報と、ユーザ属性情報とを関連付けて出力する機能を備える。
【００７２】
本実施の形態では、アクセスの認証は必須ではなく、蓄積されたプロジェクト関連情報と、ユーザ属性情報とのデータ分析に用いられる。例えば、プロジェクトに参加したユーザのうち、どの年齢が最もプロジェクトに積極的に参加したのか等の情報が、蓄積されたプロジェクト関連情報とユーザ属性情報とが関連付けられて出力された情報により分析することができる。
【００７３】
次に、上述ように構成された視聴サービスシステムの動作を説明する。
【００７４】
尚、以下の説明では、上述した第２又は第３の実施の形態によって、プロジェクト関連情報が記憶装置３０のユーザ領域に記憶されたものとして説明する。
【００７５】
まず、サービス提供部４４は、ユーザ識別情報に関連付けられているユーザ記憶領域に記憶されているプロジェクト関連情報を取得する（Ｓｔｅｐ４００）。また、サービス提供部４４は、ユーザ識別情報に関連付けられているユーザ属性情報を取得する（Ｓｔｅｐ４０１）。そして、記憶装置３０のユーザ記憶領域に記憶されたプロジェクト関連情報と、ユーザ属性情報とを関連付けて出力する（Ｓｔｅｐ４０２）。
【００７６】
第４の実施の形態によれば、蓄積されたプロジェクト関連情報と、ユーザ属性情報とに基づいて、ユーザの視聴傾向や実績等の分析を行うことができ、有効な情報を提供することができる。
【００７７】
＜本発明の具体的な第１の実施の形態＞
本発明の視聴サービスシステムに係る具体的な実施の形態を説明する。図５は、本発明の視聴サービスシステムに係る具体的な実施の形態のブロック図である。
【００７８】
図５中、１００Ａ，１００Ｂは放送局、２００はテレビ受信機、３００はゲートウェイサーバ、４００は識別情報データベース、５００はユーザ管理サーバ、６００はユーザ情報データベース、７００は記憶領域管理サーバ、８００はユーザ記憶装置、９００Ｘ，９００Ｙはプロジェクトサーバである。
【００７９】
放送局１００Ａ，１００Ｂは各放送事業者の放送局である。各放送局１００Ａ，１００Ｂは、あるプロジェクトに共通のひとつのプロジェクト識別情報（プロジェクトＩＤ）を放送する。プロジェクトＩＤは、例えば、データ放送のイベントメッセージ、モジュール内のデータとして放送する。
【００８０】
テレビ受信機２００は、ＮＶＲＡＭを備え、テレビチューナや、データ放送のブラウザ等の機能を有するデジタル放送受信機である。そして、プロジェクト識別情報（プロジェクトＩＤ）を受信する機能や、ユーザ記憶領域へのアクセスが許可された場合にユーザ記憶領域への情報の書き込み等の機能を有する。これらの機能を実現するデータ放送によるＢＭＬの一例を、図６に示す。尚、テレビ受信機２００のＮＶＲＡＭには、デバイス識別情報（デバイスＩＤ）が格納される。
【００８１】
また、テレビ受信機２００は、プロジェクト識別情報を放送しているプロジェクトの番組を受信している間、例えば、チャンネルの変更やテレビ受信機の電源のＯＦＦ等により、プロジェクト識別情報を放送しているプロジェクトの番組を受信できない状態になるまで、プロジェクト識別情報を放送しているプロジェクトの番組を受信している状態であることを示す信号（以下、プロジェクト識別情報受信継続信号という）を、ゲートウェイサーバ３００に定期的に送信する機能を有する。尚、プロジェクト識別情報受信継続信号を受信するプロジェクト識別情報受信継続信号受信サーバを別途設けて、プロジェクト識別情報受信継続信号受信サーバを介して、プロジェクト識別情報の受信が継続中である情報を、ゲートウェイサーバ３００が受信する構成としても良い。
【００８２】
ゲートウェイサーバ３００は、識別情報データベース４００と接続され、上述した検索機能と許可機能とを備えたサーバである。
【００８３】
識別情報データベース４００は、テレビ受信機２００を識別するデバイス識別情報（デバイスＩＤ）と、ユーザを識別するユーザ識別情報（ユーザＩＤ）と、プロジェクトを識別するプロジェクト識別情報（プロジェクトＩＤ）とが関連付けられて記憶されている。識別情報データベース４００の内容の一例を、図７に示す。図７の例では、デバイスＩＤ１とユーザＩＤ１００及びユーザＩＤ１０１とが関連付けられ、デバイスＩＤ２とユーザＩＤ１０３とが関連付けられ、デバイスＩＤ３とユーザＩＤ１０４とが関連付けられ、〜、デバイスＩＤＸＸとユーザＩＤＹＹとが関連付けられている。また、ユーザＩＤ１００とプロジェクトＩＤ１及びプロジェクトＩＤ２とが関連付けられ、ユーザＩＤ１０１とプロジェクトＩＤ１とが関連付けられ、ユーザＩＤ１０２とプロジェクトＩＤ３とが関連付けられ、〜、ユーザＩＤＹＹとプロジェクトＩＤＸＸとが関連付けられている。このように、ひとつのデバイスＩＤに対して複数のユーザＩＤが関連付けられる場合があり、ひとつのユーザＩＤに対して複数のプロジェクトＩＤが関連付けられる場合がある。これは、ひとつのテレビ受信機２００を複数のユーザが利用する場合であり、また、一人のユーザが複数のプロジェクトに参加している場合である。
【００８４】
ユーザ管理サーバ５００は、ユーザ情報データベース６００と接続され、ユーザのユーザ属性情報を管理するサーバである。
【００８５】
ユーザ情報データベース６００は、ユーザＩＤとユーザ属性情報とが関連付けられて記憶されている。ユーザ属性情報は、ユーザに関する情報であれば、特に、その種類は問わないが、例えば、氏名、性別、年齢、生年月日、住所、趣味等の基本嗜好情報等がある。図８に、ユーザ情報データベース６００の内容の一例を示す。図８の例では、ユーザＩＤ１００とユーザ属性情報１とが関連付けられ、ユーザＩＤ１０１とユーザ属性情報２とが関連付けられ、ユーザＩＤ１０２とユーザ属性情報３とが関連付けられ、ユーザＩＤ１０３とユーザ属性情報４とが関連付けられ、〜ユーザＩＤＹＹとユーザ属性情報ＸＸとが関連付けられている。このユーザ情報データベース６００の各ユーザＩＤとユーザ属性情報は、ユーザが本視聴システムに初めて利用を申し込む際に作成される。
【００８６】
記憶領域管理サーバ７００は、ユーザ記憶装置８００と接続され、各ユーザのユーザ記憶領域を管理するものである。
【００８７】
ユーザ記憶装置８００は、各ユーザＩＤとそのユーザのプロジェクト関連情報が記憶されるユーザ記憶領域とが関連付けられている記憶装置である。
【００８８】
プロジェクトサーバ９００Ｘ，９００Ｙは、プロジェクト毎に設けられるサーバであり、プロジェクトサーバ９００Ｘ，９００Ｙは、各プロジェクトＩＤに関連付けられている。そして、プロジェクトサーバ９００Ｘ，９００Ｙは、そのプロジェクトの目的に従って、ユーザ記憶装置８００の各ユーザ記憶領域に対してアクセスが許可された場合、ユーザ記憶装置８００の各ユーザ記憶領域に必要情報を書き込み、又は、プロジェクト関連情報を読み込む機能を有する。
【００８９】
次に、上記のように構成された視聴サービスシステムの動作を説明する。
【００９０】
以下の説明では、東京オリンピックの応援プロジェクトを、複数の放送局１００Ａ，１００Ｂが共同で行う場合を想定し、各放送局が放送する東京オリンピックの応援プロジェクトに関するコンテンツを視聴することにより、ポイントが取得できる視聴サービスシステムの例を説明する。また、東京オリンピックの応援プロジェクトを管理するのはプロジェクトサーバ９００Ｘとする。
【００９１】
まず、ユーザ（視聴者）が本プロジェクトに参加するためには、デバイスＩＤとユーザＩＤとを取得する必要がある。これらの取得方法は、従来からある技術であるので、詳細は省略するが、例えば、テレビ受信機２００で初めてプロジェクトに関するコンテンツを視聴することにより、そのコンテンツのデータ放送により、ユーザＩＤとユーザ属性情報とを登録するようにすればよい。また、デバイスＩＤの生成についても、例えば、テレビ受信機毎に固有に振られている識別情報（例えば、Ｂ−ＣＡＳの識別番号）に基づいて生成するようにしても良い。これらのデバイスＩＤ及びユーザＩＤは識別情報データベース４００に登録され、ユーザＩＤ及びユーザ属性情報は、ユーザ情報データベース６００に登録される。また、デバイスＩＤはテレビ受信機２００内のＮＶＲＡＭに記憶される。また、ユーザ記憶装置８００には、ユーザＩＤに関連付けられてユーザ記憶領域も作成される。
【００９２】
ここでは、ユーザＡが東京オリンピックの応援プロジェクトに参加するものとし、図７、図８の例を参照し、ユーザＡのユーザＩＤを「ユーザＩＤ１００」とし、ユーザＡが利用しているテレビ受信機２００のデバイスＩＤ「デバイスＩＤ１」、東京オリンピックの応援プロジェクトのプロジェクトＩＤを「プロジェクトＩＤ１」とする。
【００９３】
東京オリンピックの応援プロジェクトを企画運営している放送局１００Ａ及び放送局１００Ｂは、東京オリンピックの応援プロジェクトに関連するコンテンツを放送する。コンテンツの放送をする際には、コンテンツにプロジェクトＩＤ１を含めて放送する。
【００９４】
例えば、図９のように、ユーザＡが、テレビ受信機２００により、放送局１００Ａが放送する東京オリンピックの応援プロジェクトを視聴すると、放送局１００Ａから放送される「プロジェクトＩＤ１」を受信する。すると、テレビ受信機２００は受信した「プロジェクトＩＤ１」と、ＮＶＲＡＭに記憶されている「デバイスＩＤ１」とを、ゲートウェイサーバ３００に送信する。
【００９５】
ゲートウェイサーバ３００は、テレビ受信機２００から受信した「デバイスＩＤ１」に関連付けられているユーザＩＤを、識別情報データベース４００から検索する。ここでの検索結果は、「デバイスＩＤ１」に関連付けられているユーザＩＤは、「ユーザＩＤ１００」と「ユーザＩＤ１０１」である。そして、「ユーザＩＤ１００」と「ユーザＩＤ１０１」とが、「プロジェクトＩＤ１」に関連付けられているかを照合する。ここでは、「ユーザＩＤ１００」は「プロジェクトＩＤ１」に関連付けられているが、「ユーザＩＤ１０１」は「プロジェクトＩＤ１」に関連付けられていない。従って、認証できるのは、ユーザＩＤが「ユーザＩＤ１００」であり、認証することができた「ユーザＩＤ１００」についてのアクセス許可を記憶領域管理サーバ７００に送信する。
【００９６】
記憶領域管理サーバ７００は、「ユーザＩＤ１０１」に関連付けられているユーザＡのユーザ記憶領域を、テレビ受信機２００又は（かつ）プロジェクトサーバ９００Xからのアクセスを許可する。
【００９７】
ユーザ記憶領域へのアクセスが可能になると、テレビ受信機２００からは視聴履歴や視聴ポイント、プロジェクトサーバ９００Xからはプロジェクトに関連する関連情報が記憶領域管理サーバ７００に送信される。そして、記憶領域管理サーバ７００は、テレビ受信機２００からの視聴履歴や視聴ポイント及びプロジェクトサーバ９００Xからの関連情報を、ユーザＡのユーザ記憶領域に書き込む。
【００９８】
また、ゲートウェイサーバ３００はアクセス許可を得ると、そのユーザＩＤ、本例では「ユーザＩＤ１００」をユーザ管理サーバ５００に送信する。
【００９９】
ユーザ管理サーバ５００では、「ユーザＩＤ１００」に関連付けられている「ユーザ属性情報」から必要なユーザＡの属性情報を読み出し、ゲートウェイサーバ３００を介して、テレビ受信機２００に送信する。例えば、ユーザＡが属性情報から男性である場合には、ユーザＡが男性であることを、ゲートウェイサーバ３００を介してテレビ受信機２００に送信する。
【０１００】
テレビ受信機２００では、ユーザＡが男性である属性情報を受けて、放送コンテンツの中から男性用のコンテンツを表示する。
【０１０１】
続いて、例えば、図１０のように、ユーザＡが、テレビ受信機２００により、放送局１００Ｂが放送する東京オリンピックの応援プロジェクトを視聴すると、テレビ受信機２００による放送局１００Ａの視聴は中止されているので、テレビ受信機２００からのプロジェクト識別情報受信継続信号は途絶え、ユーザＡの「ユーザＩＤ１００」に関するユーザ記憶領域及びユーザ管理サーバ５００のアクセス許可は解除される。
【０１０２】
一方、放送局１００Ｂが放送する東京オリンピックの応援プロジェクトの視聴により、テレビ受信機２００は、放送局１００Ｂから放送される「プロジェクトＩＤ１」を受信する。すると、テレビ受信機２００は受信した「プロジェクトＩＤ１」と、ＮＶＲＡＭに記憶されている「デバイスＩＤ１」とを、ゲートウェイサーバ３００に送信する。
【０１０３】
ゲートウェイサーバ３００は、テレビ受信機２００から受信した「デバイスＩＤ１」に関連付けられているユーザＩＤを、識別情報データベース４００から検索する。ここでの検索結果は、「デバイスＩＤ１」に関連付けられているユーザＩＤは、「ユーザＩＤ１００」と「ユーザＩＤ１０１」である。そして、「ユーザＩＤ１００」と「ユーザＩＤ１０１」とが、「プロジェクトＩＤ１」に関連付けられているかを照合する。ここでは、「ユーザＩＤ１００」は「プロジェクトＩＤ１」に関連付けられているが、「ユーザＩＤ１０１」は「プロジェクトＩＤ１」に関連付けられていない。従って、認証できるのは、ユーザＩＤが「ユーザＩＤ１００」であり、認証することができた「ユーザＩＤ１００」を記憶領域管理サーバ７００に送信する。
【０１０４】
記憶領域管理サーバ７００は、「ユーザＩＤ１００」に関連付けられているユーザＡのユーザ記憶領域を、テレビ受信機２００又はプロジェクトサーバ９００Ｘからのアクセスを許可する。
【０１０５】
ユーザ記憶領域へのアクセスが可能になると、テレビ受信機２００からは視聴履歴や視聴ポイント、プロジェクトサーバ９００Xからはプロジェクトに関連する関連情報が記憶領域管理サーバ７００に送信される。そして、記憶領域管理サーバ７００は、テレビ受信機２００からの視聴履歴や視聴ポイント及びプロジェクトサーバ９００Ｘからの関連情報を、ユーザＡのユーザ記憶領域に書き込む。
【０１０６】
また、ゲートウェイサーバ３００はアクセス許可を得ると、そのユーザＩＤ、本例では「ユーザＩＤ１００」をユーザ管理サーバ５００に送信する。
【０１０７】
ユーザ管理サーバ５００では、「ユーザＩＤ１００」に関連付けられている「ユーザ属性情報」から必要なユーザＡの属性情報を読み出し、ゲートウェイサーバ３００を介して、テレビ受信機２００に送信する。例えば、ユーザＡが属性情報から男性である場合には、ユーザＡが男性であることを、ゲートウェイサーバ３００を介してテレビ受信機２００に送信する。
【０１０８】
テレビ受信機２００では、ユーザＡが男性である属性情報を受けて、放送コンテンツの中から男性用のコンテンツを表示する。
【０１０９】
これにより、ユーザＡのユーザ記憶領域には、放送局１００Ａ及び放送局１００Ｂの視聴履歴や視聴ポイント情報や、プロジェクトの関連情報が格納されることとなる。従って、従来で不可能であった複数の放送局に跨ったプロジェクトによる視聴履歴やポイント特典といったプロジェクト関連情報を管理することができる。
【０１１０】
更に、放送局１００Ａ及び放送局１００Ｂからユーザ属性情報に対応したコンテンツを放送すれば、ユーザの属性情報に基づいたコンテンツを表示することもできる。
【０１１１】
また、プロジェクトサーバ９００Ｘが、東京オリンピックの応援プロジェクトの視聴分析等のために、プロジェクトＩＤに関連付けられているユーザＩＤのプロジェクト関連情報及びユーザ属性情報を出力することもできる。
【０１１２】
また、ユーザ記憶領域へのアクセス許可中に、外部の端末、例えば、スマートフォン等から、ユーザＩＤに基づいて、ユーザ記憶領域へのアクセスをすることが出来るように構成しても良い。
【０１１３】
更に、記憶領域管理サーバ７００及びユーザ記憶装置８００を、プロジェクトサーバ９００Ｘ，９００Ｙに含めて、プロジェクト毎にプロジェクト関連情報を管理しても良い。
【０１１４】
＜本発明の具体的な第２の実施の形態＞
本発明の視聴サービスシステムに係る具体的な第２の実施の形態を説明する。図１１は、本発明の視聴サービスシステムに係る具体的な実施の形態のブロック図である。
【０１１５】
視聴サービスシステムに係る具体的な第２の実施の形態が第１の実施の形態と異なる所は、ユーザ識別情報を、基本ユーザ識別情報とプロジェクトユーザ識別情報とに分けた所である。
【０１１６】
基本ユーザ識別情報は、ユーザを識別する識別情報であり、デバイス識別情報とユーザの属性情報と関連付けられている。プロジェクトユーザ識別情報は、プロジェクト識別情報毎に設けられるユーザを識別する識別情報であり、基本ユーザ識別情報とプロジェクト識別情報とに関連付けられている。すなわち、デバイス識別情報と、基本ユーザ識別情報と、プロジェクトユーザ識別情報とプロジェクト識別情報とは、互いに関連付けられている。
【０１１７】
従って、視聴サービスシステムに係る具体的な第２の実施の形態が視聴サービスシステムに係る具体的な第１の実施の形態と異なる所は、識別情報データベース４００と、ユーザ情報データベース６００と、ユーザ記憶装置８００との内容となる。
【０１１８】
図１２は、識別情報データベース４００の具体的な内容を示した図である。
【０１１９】
識別情報データベース４００は、テレビ受信機２００を識別するデバイス識別情報（デバイスＩＤ）と、ユーザを識別する基本ユーザ識別情報（基本ユーザＩＤ）と、プロジェクト毎に設けられるプロジェクトユーザ識別情報と、プロジェクトを識別するプロジェクト識別情報（プロジェクトＩＤ）とが関連付けられて記憶されている。図１２の例では、デバイスＩＤ１と基本ユーザＩＤ１００及び基本ユーザＩＤ１０１とが関連付けられ、デバイスＩＤ２と基本ユーザＩＤ１０３とが関連付けられ、デバイスＩＤ３と基本ユーザＩＤ１０４とが関連付けられ、〜、デバイスＩＤＸＸと基本ユーザＩＤＹＹとが関連付けられている。また、基本ユーザＩＤ１００とプロジェクトユーザＩＤ１及びプロジェクトユーザＩＤ２とが関連付けられ、基本ユーザＩＤ１０１とプロジェクトユーザＩＤ３とが関連付けられ、基本ユーザＩＤ１０２とプロジェクトユーザＩＤ４とが関連付けられ、〜、基本ユーザＩＤＹＹとプロジェクトユーザＩＤＸＸとが関連付けられている。また、プロジェクトユーザＩＤ１とプロジェクトＩＤ１とが関連付けられ、プロジェクトユーザＩＤ２とプロジェクトＩＤ２とが関連付けられ、プロジェクトユーザＩＤ３とプロジェクトＩＤ１とが関連付けられ、プロジェクトユーザＩＤ４とプロジェクトＩＤ３とが関連付けられ、〜、プロジェクトユーザＩＤＸＸとプロジェクＩＤＸＸとが関連付けられている。
【０１２０】
このように、ひとつのデバイスＩＤに対して複数の基本ユーザＩＤが関連付けられる場合があり、ひとつの基本ユーザＩＤに対して複数のプロジェクトユーザＩＤが関連付けられる場合がある。これは、ひとつのテレビ受信機２００を複数のユーザが利用する場合であり、また、一人のユーザが複数のプロジェクトに参加している場合である。更に、ひとつの基本ユーザＩＤに基づいて、そのユーザの属性情報を管理するためと、例えばスマートフォン等の端末から、その基本ユーザＩＤに関連付けられたプロジェクトユーザＩＤに関連付けられたユーザ記憶領域にアクセスを可能とするためである。
【０１２１】
ユーザ情報データベース６００は、基本ユーザＩＤとユーザ属性情報とが関連付けられて記憶されている。図１３はユーザ情報データベース６００の内容の一例を示した図である。図１３の例では、基本ユーザＩＤ１００とユーザ属性情報１とが関連付けられ、基本ユーザＩＤ１０１とユーザ属性情報２とが関連付けられ、基本ユーザＩＤ１０２とユーザ属性情報３とが関連付けられ、基本ユーザＩＤ１０３とユーザ属性情報４とが関連付けられ、〜基本ユーザＩＤＹＹとユーザ属性情報ＸＸとが関連付けられている。尚、ユーザ属性情報は、具体的な第１の実施の形態と同様なものなので説明は省略する。
【０１２２】
ユーザ記憶装置８００は、各プロジェクトユーザＩＤとそのユーザのプロジェクト関連情報が記憶されるユーザ記憶領域とが関連付けられている。
【０１２３】
更に、ゲートウェイサーバ３００は、デバイスＩＤ及びプロジェクトＩＤに基づく認証の結果、ユーザ記憶領域へのアクセスが許可された場合、そのアクセス許可の間、基本ユーザＩＤに基づく端末１０００Ａ，１０００Ｂのユーザ記憶領域へのアクセスを許可する機能を有する。
【０１２４】
次に、上記のように構成された視聴サービスシステムの動作を説明する。
【０１２５】
以下の説明では、東京オリンピックの応援プロジェクトを、複数の放送局１００Ａ，１００Ｂが共同で行う場合を想定し、各放送局が放送する東京オリンピックの応援プロジェクトに関するコンテンツを視聴することにより、ポイントが取得できる視聴サービスシステムの例を説明する。また、東京オリンピックの応援プロジェクトを管理するのはプロジェクトサーバ９００Ｘとする。
【０１２６】
まず、ユーザ（視聴者）が本プロジェクトに参加するためには、デバイスＩＤと基本ユーザとプロジェクトユーザＩＤとを取得する必要がある。これらの取得方法は、従来からある技術であるので、詳細は省略するが、例えば、テレビ受信機２００で初めてプロジェクトに関するコンテンツを視聴することにより、そのコンテンツのデータ放送により、基本ユーザＩＤと、プロジェクトユーザＩＤ、ユーザ属性情報とを登録するようにすればよい。また、デバイスＩＤの生成についても、例えば、テレビ受信機毎に固有に振られている識別情報（例えば、Ｂ−ＣＡＳの識別番号）に基づいて生成するようにしても良い。これらのデバイスＩＤ、基本ユーザＩＤ及びプロジェクトユーザＩＤは識別情報データベース４００に登録され、基本ユーザＩＤ及びユーザ属性情報は、ユーザ情報データベース６００に登録される。また、デバイスＩＤはテレビ受信機２００内のＮＶＲＡＭに記憶される。また、ユーザ記憶装置８００には、プロジェクトユーザＩＤに関連付けられてユーザ記憶領域も作成される。尚、デバイスＩＤ及び基本ユーザＩＤについては、一度取得すれば、それ以降の取得は必要なく、ユーザがプロジェクトに参加する度に、プロジェクトユーザＩＤが取得され、取得したプロジェクトユーザＩＤが基本ユーザＩＤに関連付けられて登録される。
【０１２７】
そして、家族であるユーザＡとユーザＢとが東京オリンピックの応援プロジェクトに参加するものとし、図１２、図１３の例を参照し、ユーザＡとユーザＢとが利用しているテレビ受信機２００のデバイスＩＤを「デバイスＩＤ１」、ユーザＡの基本ユーザＩＤを「ユーザＩＤ１００」、ユーザＢの基本ユーザＩＤを「ユーザＩＤ１０１」とし、東京オリンピックの応援プロジェクトのプロジェクトＩＤを「プロジェクトＩＤ１」とする。また、プロジェクトＩＤを「プロジェクトＩＤ１」に関連付けられているユーザＡのプロジェクトユーザＩＤを「プロジェクトユーザＩＤ１」、プロジェクトＩＤを「プロジェクトＩＤ１」に関連付けられているユーザＢのプロジェクトユーザＩＤを「プロジェクトユーザＩＤ３」とする。
【０１２８】
東京オリンピックの応援プロジェクトを企画運営している放送局１００Ａ及び放送局１００Ｂは、東京オリンピックの応援プロジェクトに関連するコンテンツを放送する。コンテンツの放送をする際には、コンテンツにプロジェクトＩＤ１を含めて放送する。
【０１２９】
まず、ユーザＡが、テレビ受信機２００により、放送局１００Ａが放送する東京オリンピックの応援プロジェクトを視聴すると、放送局１００Ａから放送される「プロジェクトＩＤ１」を受信する。すると、テレビ受信機２００は受信した「プロジェクトＩＤ１」と、ＮＶＲＡＭに記憶されている「デバイスＩＤ１」とを、ゲートウェイサーバ３００に送信する。
【０１３０】
ゲートウェイサーバ３００は、テレビ受信機２００から受信した「デバイスＩＤ１」に関連付けられている基本ユーザＩＤを、識別情報データベース４００から検索する。ここでの検索結果は、「デバイスＩＤ１」に関連付けられている基本ユーザＩＤは、「基本ユーザＩＤ１００」と「基本ユーザＩＤ１０１」である。
【０１３１】
次に、ゲートウェイサーバ３００は、基本ユーザＩＤに関連付けられているプロジェクトユーザＩＤを検索する。ここでの検索結果は、「基本ユーザＩＤ１００」は「プロジェクトユーザＩＤ１」と「プロジェクトユーザＩＤ２」とに関連付けられている。また、「基本ユーザＩＤ１０１」は「プロジェクトユーザＩＤ３」に関連付けられている。
【０１３２】
次に、ゲートウェイサーバ３００は、プロジェクトユーザＩＤに関連付けられているプロジェクトＩＤを検索する。ここでの検索結果は、「プロジェクトユーザＩＤ１」及び「プロジェクトユーザＩＤ３」は「プロジェクトＩＤ１」に関連付けられ、「プロジェクトユーザＩＤ２」は「プロジェクトＩＤ１」に関連付けられていない。
【０１３３】
従って、認証できるのは、「基本ユーザＩＤ１００」に関連付けられている「プロジェクトユーザＩＤ１」と、「基本ユーザＩＤ１０１」に関連付けられている「プロジェクトユーザＩＤ３」であり、「プロジェクトユーザＩＤ１」と「プロジェクトユーザＩＤ３」とについてのアクセス許可を記憶領域管理サーバ７００に送信する。
【０１３４】
記憶領域管理サーバ７００は、「プロジェクトユーザＩＤ１」に関連付けられているユーザ記憶領域を、テレビ受信機２００又は（かつ）プロジェクトサーバ９００Xからのアクセスを許可する。また、記憶領域管理サーバ７００は、「プロジェクトユーザＩＤ３」に関連付けられているユーザ記憶領域を、テレビ受信機２００又は（かつ）プロジェクトサーバ９００Xからのアクセスを許可する。尚、アクセスの許可は、テレビ受信機２００による放送局１００Ａの視聴している間、すなわち、テレビ受信機２００が、放送局１００Ａから放送される「プロジェクトＩＤ１」を受信できる期間である。
【０１３５】
ユーザ記憶領域へのアクセスが可能になると、テレビ受信機２００からは視聴履歴や視聴ポイント、プロジェクトサーバ９００Xからはプロジェクトに関連する関連情報が記憶領域管理サーバ７００に送信される。そして、記憶領域管理サーバ７００は、テレビ受信機２００からの視聴履歴や視聴ポイント及びプロジェクトサーバ９００Xからの関連情報を、「プロジェクトユーザＩＤ１」のユーザ記憶領域、「プロジェクトユーザＩＤ３」のユーザ記憶領域に書き込む。
【０１３６】
一方、「プロジェクトユーザＩＤ１」及び「プロジェクトユーザＩＤ３」のユーザ記憶領域へのアクセスが許可されている間、ユーザＢが端末１０００Ｂを用いて「基本ユーザＩＤ１０１」を送信し、ゲートウェイサーバ３００に認証を求めた場合、ゲートウェイサーバ３００は「基本ユーザＩＤ１０１」に関連付けられているユーザ記憶領域がアクセス許可されているかを判断する。本例では、「プロジェクトユーザＩＤ３」のユーザ記憶領域へのアクセスが許可されており、「プロジェクトユーザＩＤ３」は「基本ユーザＩＤ１０１」に関連付けられている。従って、端末１０００Ｂについても、「プロジェクトユーザＩＤ３」のユーザ記憶領域へのアクセスを許可する。
【０１３７】
このような構成にすることにより、テレビ受信機２００と端末１０００Ｂとが同時に、一つのプロジェクト（本例では、東京オリンピックの応援プロジェクト）を楽しむことができ、テレビ受信機２００と端末１０００Ｂとが連動した視聴サービスを提供することができる。
【０１３８】
尚、ユーザＡが、テレビ受信機２００により、放送局１００Ｂが放送する東京オリンピックの応援プロジェクトを視聴すると、テレビ受信機２００による放送局１００Ａの視聴は中止されているので、テレビ受信機２００からのプロジェクト識別情報受信継続信号は途絶え、アクセス許可は解除される。そして、放送局１００Ｂが放送する東京オリンピックの応援プロジェクトの視聴により、テレビ受信機２００は、放送局１００Ｂから放送される「プロジェクトＩＤ１」を受信する。すると、テレビ受信機２００は受信した「プロジェクトＩＤ１」と、ＮＶＲＡＭに記憶されている「デバイスＩＤ１」とを、ゲートウェイサーバ３００に送信する。
【０１３９】
これにより、上述した動作と同様な動作を行うことにより、従来で不可能であった複数の放送局に跨ったプロジェクトによる視聴履歴やポイント特典といったプロジェクト関連情報を管理することができる。
【０１４０】
＜本発明の具体的な第３の実施の形態＞
本発明の視聴サービスシステムに係る具体的な第３の実施の形態を説明する。図１４は、本発明の視聴サービスシステムに係る具体的な実施の形態のブロック図である。
【０１４１】
視聴サービスシステムに係る具体的な第３の実施の形態が第２の実施の形態と異なる所は、テレビ受信機のみならず、端末にもデバイス識別情報を付与することである。このため、識別情報データベース４００の内容が異なる。
【０１４２】
図１５は、識別情報データベース４００の具体的な内容を示した図である。
【０１４３】
識別情報データベース４００は、ユーザを識別する基本ユーザ識別情報（基本ユーザＩＤ）と、テレビ受信機２００及び端末１０００Ａ，Ｂを識別するデバイス識別情報（デバイスＩＤ）と、プロジェクト毎に設けられるプロジェクトユーザ識別情報と、プロジェクトを識別するプロジェクト識別情報（プロジェクトＩＤ）とが関連付けられて記憶されている。
【０１４４】
図１５の例では、基本ユーザＩＤ１００とデバイスＩＤＴＶ１（テレビ受信機）及びデバイスＩＤＳ１（端末）とが関連付けられ、基本ユーザＩＤ１０１とデバイスＩＤＴＶ１（テレビ受信機）及びデバイスＩＤＳ２（端末）とが関連付けられている。また、基本ユーザＩＤ１００とプロジェクトユーザＩＤ１及びプロジェクトユーザＩＤ２とが関連付けられ、基本ユーザＩＤ１０１とプロジェクトユーザＩＤ３及びプロジェクトユーザＩＤ４とが関連付けられている。また、プロジェクトユーザＩＤ１とプロジェクトＩＤ１とが関連付けられ、プロジェクトユーザＩＤ２とプロジェクトＩＤ２とが関連付けられ、プロジェクトユーザＩＤ３とプロジェクトＩＤ１とが関連付けられ、プロジェクトユーザＩＤ４とプロジェクトＩＤ２とが関連付けられている。
【０１４５】
このように、ひとつの基本ユーザＩＤに複数のデバイスＩＤが関連付けられる。この場合は、例えば、基本ユーザＩＤのユーザがテレビ受信機と端末との双方を利用する場合である。また、１台のテレビを複数のユーザが利用する場合（家庭内での使用）は、そのテレビ受信機のデバイスＩＤが複数の基本ユーザＩＤと関連付けられる。
【０１４６】
尚、ユーザ情報データベース６００は、基本ユーザＩＤとユーザ属性情報とが関連付けられていること、ユーザ記憶装置８００は、各プロジェクトユーザＩＤとそのユーザのプロジェクト関連情報が記憶されるユーザ記憶領域とが関連付けられていることは同様である。
【０１４７】
次に、上記のように構成された視聴サービスシステムの動作を説明する。
【０１４８】
以下の説明では、東京オリンピックの応援プロジェクトを、複数の放送局１００Ａ，１００Ｂが共同で行う場合を想定し、各放送局が放送する東京オリンピックの応援プロジェクトに関するコンテンツを視聴することにより、ポイントが取得できる視聴サービスシステムの例を説明する。また、東京オリンピックの応援プロジェクトを管理するのはプロジェクトサーバ９００Ｘとする。
【０１４９】
また、東京オリンピックの応援プロジェクトのプロジェクトＩＤを「プロジェクトＩＤ１」とする。
【０１５０】
ユーザ（視聴者）が本プロジェクトに参加するためには、デバイスＩＤと基本ユーザとプロジェクトユーザＩＤとを取得する必要がある。ここでは、ユーザＡは基本ユーザＩＤ１００を取得しており、ユーザＡが使用するテレビ受信機２００及び端末１０００ＡのデバイスＩＤであるデバイスＩＤＴＶ１及びデバイスＩＤＳ１を取得しており、ユーザＡは東京オリンピックの応援プロジェクトに参加してそのプロジェクトユーザＩＤ１を取得しており、デバイスＩＤ、基本ユーザ及びプロジェクトユーザＩＤはプロジェクトＩＤと共に、識別情報データベース４００に関連付けられて登録されているものとする。
【０１５１】
同様に、ユーザＢは基本ユーザＩＤ１０１を取得しており、ユーザＢが使用するテレビ受信機２００及び端末１０００ＢのデバイスＩＤであるデバイスＩＤＴＶ１及びデバイスＩＤＳ２を取得しており、ユーザＢは東京オリンピックの応援プロジェクトに参加してそのプロジェクトユーザＩＤ３を取得しており、デバイスＩＤ、基本ユーザ及びプロジェクトユーザＩＤはプロジェクトＩＤと共に、識別情報データベース４００に関連付けられて登録されているものとする。
【０１５２】
尚、これらの取得、登録方法は、従来からある技術であるので、詳細は省略する。
【０１５３】
まず、東京オリンピックの応援プロジェクトを企画運営している放送局１００Ａ及び放送局１００Ｂは、東京オリンピックの応援プロジェクトに関連するコンテンツを放送する。コンテンツの放送をする際には、コンテンツにプロジェクトＩＤ１を含めて放送する。
【０１５４】
ユーザＡが、テレビ受信機２００により、放送局１００Ａが放送する東京オリンピックの応援プロジェクトを視聴すると、放送局１００Ａから放送される「プロジェクトＩＤ１」を受信する。すると、テレビ受信機２００は受信した「プロジェクトＩＤ１」と、ＮＶＲＡＭに記憶されている「デバイスＩＤＴＶ１」とを、ゲートウェイサーバ３００に送信する。
【０１５５】
ゲートウェイサーバ３００は、テレビ受信機２００から受信した「デバイスＩＤＴＶ１」に関連付けられている基本ユーザＩＤを、識別情報データベース４００から検索する。ここでの検索結果は、「デバイスＩＤＴＶ１」に関連付けられている基本ユーザＩＤは、「基本ユーザＩＤ１００」と「基本ユーザＩＤ１０１」である。
【０１５６】
次に、ゲートウェイサーバ３００は、基本ユーザＩＤに関連付けられているプロジェクトユーザＩＤを検索する。ここでの検索結果は、「基本ユーザＩＤ１００」は「プロジェクトユーザＩＤ１」と「プロジェクトユーザＩＤ２」とに関連付けられている。また、「基本ユーザＩＤ１０１」は「プロジェクトユーザＩＤ３」と「プロジェクトユーザＩＤ４」とに関連付けられている。
【０１５７】
続いて、ゲートウェイサーバ３００は、プロジェクトユーザＩＤに関連付けられているプロジェクトＩＤを検索する。ここでの検索結果は、「プロジェクトユーザＩＤ１」及び「プロジェクトユーザＩＤ３」は「プロジェクトＩＤ１」に関連付けられ、「プロジェクトユーザＩＤ２」及び「プロジェクトユーザＩＤ４」は「プロジェクトＩＤ１」に関連付けられていない。
【０１５８】
従って、認証できるのは、「基本ユーザＩＤ１００」に関連付けられている「プロジェクトユーザＩＤ１」と、「基本ユーザＩＤ１０１」に関連付けられている「プロジェクトユーザＩＤ３」である。そして、「プロジェクトユーザＩＤ１」と「プロジェクトユーザＩＤ３」とについてのアクセス許可を記憶領域管理サーバ７００に送信する。
【０１５９】
記憶領域管理サーバ７００は、「プロジェクトユーザＩＤ１」に関連付けられているユーザ記憶領域を、テレビ受信機２００又は（かつ）プロジェクトサーバ９００Xからのアクセスを許可する。また、記憶領域管理サーバ７００は、「プロジェクトユーザＩＤ３」に関連付けられているユーザ記憶領域を、テレビ受信機２００又は（かつ）プロジェクトサーバ９００Xからのアクセスを許可する。尚、アクセスの許可は、テレビ受信機２００による放送局１００Ａの視聴している間、すなわち、テレビ受信機２００が、放送局１００Ａから放送される「プロジェクトＩＤ１」を受信できる期間である。
【０１６０】
ユーザ記憶領域へのアクセスが可能になると、テレビ受信機２００からは視聴履歴や視聴ポイント、プロジェクトサーバ９００Xからはプロジェクトに関連する関連情報が記憶領域管理サーバ７００に送信される。そして、記憶領域管理サーバ７００は、テレビ受信機２００からの視聴履歴や視聴ポイント及びプロジェクトサーバ９００Xからの関連情報を、「プロジェクトユーザＩＤ１」のユーザ記憶領域、「プロジェクトユーザＩＤ３」のユーザ記憶領域に書き込む。
【０１６１】
ここで、「プロジェクトユーザＩＤ１」及び「プロジェクトユーザＩＤ３」のユーザ記憶領域へのアクセスが許可されている間、ユーザＢが端末１０００Ｂを用いて「基本ユーザＩＤ１０１」と、端末１０００ＢのデバイスＩＤである「デバイスＩＤＳ２」とを送信し、ゲートウェイサーバ３００に認証を求めた場合を説明する。
【０１６２】
ゲートウェイサーバ３００は、端末１０００Ｂから「基本ユーザＩＤ１０１」と「デバイスＩＤＳ２」とを受信する。そして、ゲートウェイサーバ３００は、「基本ユーザＩＤ１０１」と「デバイスＩＤＳ２」とが関連付けられていることを、識別情報データベース４００を用いて確認する。更に、「基本ユーザＩＤ１０１」に関連付けられているユーザ記憶領域がアクセス許可されているかを判断する。本例では、「基本ユーザＩＤ１０１」に関連付けられている「プロジェクトユーザＩＤ３」のユーザ記憶領域へのアクセスが許可されている。従って、端末１０００Ｂについても、「プロジェクトユーザＩＤ３」のユーザ記憶領域へのアクセスを許可する。
【０１６３】
このような構成にすることにより、テレビ受信機２００と端末１０００Ｂとが同時に、一つのプロジェクト（本例では、東京オリンピックの応援プロジェクト）を楽しむことができ、テレビ受信機２００と端末１０００Ｂとが連動した視聴サービスを提供することができる。
【０１６４】
尚、ユーザＡが、テレビ受信機２００により、放送局１００Ｂが放送する東京オリンピックの応援プロジェクトを視聴すると、テレビ受信機２００による放送局１００Ａの視聴は中止されているので、テレビ受信機２００からのプロジェクト識別情報受信継続信号は途絶え、アクセス許可は解除される。そして、放送局１００Ｂが放送する東京オリンピックの応援プロジェクトの視聴により、テレビ受信機２００は、放送局１００Ｂから放送される「プロジェクトＩＤ１」を受信する。すると、テレビ受信機２００は受信した「プロジェクトＩＤ１」と、ＮＶＲＡＭに記憶されている「デバイスＩＤＴＶ１」とを、ゲートウェイサーバ３００に送信する。
【０１６５】
これにより、上述した動作と同様な動作を行うことにより、従来で不可能であった複数の放送局に跨ったプロジェクトによる視聴履歴やポイント特典といったプロジェクト関連情報を管理することができる。
【０１６６】
以上好ましい実施の形態をあげて本発明を説明したが、本発明は必ずしも上記実施の形態に限定されるものではなく、その技術的思想の範囲内において様々に変形し実施することが出来る。
【符号の説明】
【０１６７】
１              識別情報データベース
２              プロジェクト識別情報受信部
３              記憶装置
４              許可部
１０            識別情報データベース
２０            テレビ受信機
２１            メモリ
２２            受信部
２３            送信部
２４            サービス実行部
３０            記憶装置
４０            サーバ
４１            受信部
４２            許可部
４４            サービス提供部
５０            属性情報データベース
１００Ａ，Ｂ    放送局
２００          テレビ受信機
３００          ゲートウェイサーバ
４００          識別情報データベース
５００          ユーザ管理サーバ
６００          ユーザ情報データベース
７００          記憶領域管理サーバ
８００          ユーザ記憶装置
９００Ｘ，Ｙ    プロジェクトサーバ
１０００Ａ，Ｂ  端末
【図１】
0006527757.tif 000002
【図２】
0006527757.tif 000003
【図３】
0006527757.tif 000004
【図４】
0006527757.tif 000005
【図５】
0006527757.tif 000006
【図６】
0006527757.tif 000007
【図７】
0006527757.tif 000008
【図８】
0006527757.tif 000009
【図９】
0006527757.tif 000010
【図１０】
0006527757.tif 000011
【図１１】
0006527757.tif 000012
【図１２】
0006527757.tif 000013
【図１３】
0006527757.tif 000014
【図１４】
0006527757.tif 000015
【図１５】
0006527757.tif 000016